(57)【要約】【課題】薬液瓶の押圧手段を収納ケースを利用した「てこの原理」により、高齢者等でも微妙な点眼操作が容易となり、また手のひらで包み込むようにすれば手全体で力加減を行うことができて非常に使いやすい点眼補助具の提供を目的とする。【解決手段】薬液瓶の首部を挿通する保持孔を形成した中間部材と、その両側に首振り可能に連結した薬液瓶を収納する収納凹部を備えた一対の保持部材とを具備し、不使用時には前記一対の保持部材間に薬液瓶を収納する収納容器を備え、また前記中間部材の適所には、点眼操作の際に目の周囲に当接することにより、前記薬液瓶を点眼位置に正確に保持するアダプタを立設してあり、点眼操作の際には、前記一対の保持部材の間で薬液瓶を保持するとともに、「この原理」を利用して、一対の保持部材の間の作用点部から薬液瓶に加えた力よりも大きな力が加わるようにした点眼補助具。【選択図】図１８
2019187540.tif 000002
【特許請求の範囲】
【請求項１】
薬液瓶の首部を挿通する保持孔を形成した中間部材と、その両側に首振り可能に連結した薬液瓶を収納する収納凹部を備えた一対の保持部材とを具備し、不使用時には前記一対の保持部材間に薬液瓶を収納する収納容器を備え、
また前記中間部材の適所には、点眼操作の際に目の周囲に当接することにより、前記薬液瓶を点眼位置に正確に保持するアダプタを立設してあり、
点眼操作の際には前記中間部材を介して前記一対の保持部材を反転し、薬液瓶の首部を前記中間部材の保持孔に挿通した上、前記一対の保持部材の間で薬液瓶を保持するとともに、
前記中間部材との連結部を支点部とし、前記一対の保持部材を作用点部とし、さらに前記一対の保持部材の先端部を力点部として、前記力点部に力を加えることにより、一対の保持部材の間の作用点部から薬液瓶に加えた力よりも大きな力が加わるようにしたことを特徴とする点眼補助具。
【請求項２】
前記一対の保持部材は、その中央部分に外向きの膨らみを備え、前記一対の保持部材の膨らみが薬液瓶を両側から押圧することにより、薬液瓶から点眼操作できるようにしたことを特徴とする請求項１に記載の点眼補助具。
【請求項３】
前記一対の保持部材の中央部分に形成された外向きの膨らみは、前記膨らみの頂部が前記中間部材に近い位置となるように形成されていることを特徴とする請求項２に記載の点眼補助具。
【請求項４】
前記一対の保持部材は、その中央部分の外向きの膨らみの内壁に、薬液瓶の収納時に薬液瓶を両側から保持する弾性保持部材が取り付けられており、不使用時に薬液瓶をガタツキなく保持できるようにしたことを特徴とする請求項１ないし３のいずれかに記載の点眼補助具。
【請求項５】
前記中間部材は、その保持孔に薬液瓶の異なるサイズのノズルを装着できるノズル固定部材を設けたことを特徴とする請求項１ないし４のいずれかに記載の点眼補助具。
【請求項６】
前記中間部材は、その保持孔の近傍に目印が形成してあり、点眼操作の際に目印を見て確実に薬液を点眼することができるようにしたことを特徴とする請求項１ないし５のいずれかに記載の点眼補助具。
【請求項７】
前記薬液瓶を点眼位置に正確に保持するアダプタは、その先端を下まぶた付近に当接した上、前記保持孔近傍の目印を確認することにより、両まぶたの開眼状態における正確な点眼操作を行うことができるようにしたことを特徴とする請求項６に記載の点眼補助具。
【請求項８】
前記薬液瓶を点眼位置に正確に保持するアダプタは、前記中間部材の適所において折畳みないしはめ込み可能としてあり、その高さを変えたり、不使用時には点眼操作の邪魔にならないようにすることができるようにしたことを特徴とする請求項１ないし７のいずれかに記載の点眼補助具。
【請求項９】
前記一対の保持部材は、内外面のいずれか、あるいは両面に固有のデザイン形状が施してあり、点眼補助具の独自の所有者であることを表現することができるようにしたことを特徴とする請求項１ないし８のいずれかに記載の点眼補助具。
【請求項１０】
前記薬液瓶の首部を挿通する保持孔を形成した中間部材は、その幅のサイズを可変とするか、または保持部材の膨らみ部位に小形の凸形状片を取り付けて微量点眼用あるいは使い切り点眼薬用としても使用できるようにしたことを特徴とする１ないし９のいずれかに記載の点眼補助具。
【請求項１１】
薬液瓶の首部を挿通する保持孔を形成した中間部材と、前記中間部材と結合し、その外周で双方が接触する一対の保持部材とを備え、点眼時には前記保持部材の接触面と対向する側で前記薬液瓶を押圧することを特徴とする点眼補助具。
【発明の詳細な説明】
【技術分野】
【０００１】
本発明は、目薬容器を用いて目薬を注す際に用いる点眼補助具に関するものである。
【背景技術】
【０００２】
国内の眼科患者数は年々増加しており、白内障や緑内障、加齢性の眼底疾患、糖尿病などの成人病による眼疾患は高齢社会の進展に伴ってますます増加し続けるものと予測される。
さらにドライアイ、眼精疲労など眼関連症状を有する人口は増加しており、薬店などで点眼薬を購入し、利用する利用者は今後さらに増大することが予想されている。
ちなみに、現在の眼科の薬物治療はほとんどが点眼薬を用いて行われている。さらに多くの患者は複数の点眼薬を利用している。現在、下記に示すような点眼補助具は複数種あるが、複数の点眼瓶に対応しているものは非常に少なく、また点眼薬の利用者として指の不自由な利用者や、指先の力加減が難しくなっている高齢者も多い。これら身体的条件の異なる様々な利用者において正確な点眼薬の滴下が可能である補助具はほとんど存在しない。
【０００３】
以下に、従来提案された種々の点眼補助具について示す。
例えば特開２０１５−２０５０５８号公報（特許文献１参照）には、上側開孔部に点眼瓶を着脱自在に挿着し、該点眼瓶から目薬液を眼球に滴下させる際の補助を行う点眼補助具であって、上側開孔部を有する上側部材と、上側部材よりも低弾性である下側部材とを備え、上側部材と下側部材は、夫々の中央に有する貫通孔を連通させるように一体化されており、点眼補助具は、点眼瓶を介した被押圧による、上側開孔部の下部の口径拡がりを規制する規制部を有する点眼補助具が提案されている。
【０００４】
また特開２００７−２４４５１０号公報（特許文献２参照）には、補助具本体と保持部から構成され、本体には瞼周辺に当接される下側開口部と、点眼瓶の首部を挿着する上側開口部が貫通して形成されており、保持部は２片の弾性板材から構成され、本体の上側開口部の肩部分から立設していて、保持部が点眼瓶の胴部を把持し、安定させるようにした点眼補助具が提案されている。
【０００５】
特開２００７−２１５９６２号公報（特許文献３参照）には、目薬容器と、環状に形成した周側枠の外周前後方向に片持ち軸を突設するとともに、目薬容器を倒立姿勢で支持しその下向きの滴下ノズルが周側枠の内側を貫通するように装着させることのできる基枠体と、上半部は押圧片を有する押圧操作部となし、中間部は前記環状の周側枠を抱え込むことができ且つ前記片持ち軸に枢着できる枢着部を有する揺動基部となし、下半部は滴下ノズルが嵌合し得るキャップ形状の凹部を有する開閉下脚部を形成し、その下には外側に反り返るように形成された瞼当て部を設けてなる左右一対の揺動部材と、一対の発条とからなる目薬点眼補助具が提案されている。
【先行技術文献】
【特許文献】
【０００６】
【特許文献１】特開２０１５−２０５０５８号公報
【特許文献２】特開２００７−２４４５１０号公報
【特許文献３】特開２００７−２１５９６２号公報
【発明の概要】
【発明が解決しようとする課題】
【０００７】
しかしながら前記従来の点眼補助具においては、目薬容器の胴部を押圧する手段が引用文献２のように、ほぼ指の押圧力のみの直接的な機構が採用されており、指で押圧するのに微妙な力加減を必要としており、指の不自由な利用者や指先の力加減の困難な人や高齢者では自由に使えないという問題点があったのである。
また、眼病治療のための目薬は薬の成分が強いために目に正確に１滴を点眼することが早期治療となるのであり、より精度よく１滴分のみ押圧して点眼することが望まれていた。
【０００８】
本発明は上記の様な問題点を解消するためになされたものであって、その目的は、目薬容器の収納ケースを備えるとともに、目薬容器の押圧手段を収納ケースを利用した「てこの原理」により、高齢者等でも微妙な点眼操作が容易となり、また手のひらで包み込むようにすれば手全体で力加減を行うことができて非常に使いやすい点眼補助具を提供することを目的とする。
【課題を解決するための手段】
【０００９】
すなわち本発明に係る点眼補助具は、
薬液瓶の首部を挿通する保持孔を形成した中間部材と、その両側に首振り可能に連結した薬液瓶を収納する収納凹部を備えた一対の保持部材とを具備し、不使用時には前記一対の保持部材間に薬液瓶を収納する収納容器を備え、
また前記中間部材の適所には、点眼操作の際に目の周囲に当接することにより、前記薬液瓶を点眼位置に正確に保持するアダプタを立設してあり、
点眼操作の際には前記中間部材を介して前記一対の保持部材を反転し、薬液瓶の首部を前記中間部材の保持孔に挿通した上、前記一対の保持部材の間で薬液瓶を保持するとともに、
前記中間部材との連結部を支点部とし、前記一対の保持部材を作用点部とし、さらに前記一対の保持部材の先端部を力点部として、前記力点部に力を加えることにより、一対の保持部材の間の作用点部から薬液瓶に加えた力よりも大きな力が加わるようにしたことを特徴とするものである。
【００１０】
本発明に係る点眼補助具において、前記一対の保持部材は、その中央部分に外向きの膨らみを備え、前記一対の保持部材の膨らみが薬液瓶を両側から押圧することにより、薬液瓶から点眼操作できるようにしたことをも特徴とするものである。
【００１１】
本発明に係る点眼補助具において、前記一対の保持部材の中央部分に形成された外向きの膨らみは、前記膨らみの頂部が前記中間部材に近い位置となるように形成されていることをも特徴とするものである。
【００１２】
本発明に係る点眼補助具において、前記一対の保持部材は、その中央部分の外向きの膨らみの内壁に、薬液瓶の収納時に薬液瓶を両側から保持する弾性保持部材が取り付けられており、不使用時に薬液瓶をガタツキなく保持できるようにしたことをも特徴とするものである。
【００１３】
本発明に係る点眼補助具において、前記中間部材は、その保持孔に薬液瓶の異なるサイズのノズルを装着できるノズル固定部材を設けたことをも特徴とするものである。
【００１４】
本発明に係る点眼補助具において、前記中間部材は、その保持孔の近傍に目印が形成してあり、点眼操作の際に目印を見て確実に薬液を点眼することができるようにしたことをも特徴とするものである。
【００１５】
本発明に係る点眼補助具において、前記薬液瓶を点眼位置に正確に保持するアダプタは、その先端を下まぶた付近に当接した上、前記保持孔近傍の目印を確認することにより、両まぶたの開眼状態における正確な点眼操作を行うことができるようにしたことをも特徴とするものである。
【００１６】
本発明に係る点眼補助具において、前記薬液瓶を点眼位置に正確に保持するアダプタは、前記中間部材の適所において折畳みないしはめ込み可能としてあり、その高さを変えたり、不使用時には点眼操作の邪魔にならないようにすることができるようにしたことをも特徴とするものである。
【００１７】
本発明に係る点眼補助具において、前記一対の保持部材は、内外面のいずれか、あるいは両面に固有のデザイン形状が施してあり、点眼補助具の独自の所有者であることを表現することができるようにしたことをも特徴とするものである。
【００１８】
本発明に係る点眼補助具において、前記薬液瓶の首部を挿通する保持孔を形成した中間部材は、その幅のサイズを可変とするか、または保持部材の膨らみ部位に小形の凸形状片を取り付けて微量点眼用あるいは使い切り点眼薬用としても使用できるようにしたことをも特徴とするものである。
【００１９】
本発明に係る点眼補助具において、薬液瓶の首部を挿通する保持孔を形成した中間部材と、前記中間部材と結合し、その外周で双方が接触する一対の保持部材とを備え、点眼時には前記保持部材の接触面と対向する側で前記薬液瓶を押圧することをも特徴とするものである。
【発明の効果】
【００２０】
本発明に係る点眼補助具によれば、前記従来の点眼補助具のようなほぼ指の押圧力のみの直接的な機構ではなく、目薬容器の押圧手段を「てこの原理」を利用したものとして、指の不自由な利用者や指先の力加減のし難くなっている高齢者でも難なく使用することができるようになった。
また、目薬容器の押圧手段を「てこの原理」を利用したものであるばかりか、手のひらで包み込むように使用することができるため、手全体で力加減を行うことができて指先の力加減のし難くなっている高齢者であっても非常に使いやすい点眼補助具を提供することが可能となった。
【図面の簡単な説明】
【００２１】
【図１】本発明の点眼補助具の実施の形態を表す概略正面図である。
【図２】その中央切断断面図である。
【図３】その概略平面図である。
【図４】その概略側面図である。
【図５】その概略斜視図である。
【図６】その中央切断斜視図である。
【図７】一対の保持部材を開いた状態の概略平面図である。
【図８】その概略中央横断面図である。
【図９】一対の保持部材を開いた状態の概略斜視図である。
【図１０】その中央切断斜視図である。
【図１１】点眼補助具の中間部材の上に薬液瓶を搭載した状態の概略斜視図である。
【図１２】一対の保持部材を薬液瓶を収納して閉じた状態の概略斜視図である。
【図１３】一対の保持部材を開いた状態で薬液瓶を中央部材の保持孔にはめ込もうとする状態の概略断面図である。
【図１４】薬液瓶を中央部材の保持孔にはめ込んだ状態の概略断面図である。
【図１５】一対の保持部材を首振りさせて開き、中央部材の保持孔にはめ込んだ薬液瓶を押圧しようとする状態の概略断面図である。
【図１６】一対の保持部材の両端を指で挟み付け、薬液瓶を押圧しようとする状態の概略断面図である。
【図１７】一対の保持部材の両端を指で挟み付けて薬液瓶を押圧し、点眼操作をした状態の概略断面図である。
【図１８】薬液瓶を点眼位置に正確に保持するアダプタを目の周囲の適宜位置に当接し、一対の保持部材の両端を指で挟み付けて薬液瓶を押圧し、点眼操作をした状態の概略側面図である。
【図１９】（ａ）および（ｂ）は点眼補助具に適用すべき異なる形態の薬液瓶の概略正面図及び概略側面図、（ｃ）は該薬液瓶を点眼補助具に適用し、薬液瓶を押圧しようとする状態の概略断面図である。
【図２０】薬液瓶を点眼補助具に適用し、薬液瓶を押圧した状態の概略断面図である。
【図２１】（ａ）および（ｂ）は点眼補助具に適用すべき、さらに異なる形態の薬液瓶の概略正面図及び概略側面図、（ｃ）は該薬液瓶を点眼補助具に適用し、薬液瓶を押圧しようとする状態の概略断面図である。
【図２２】薬液瓶を点眼補助具に適用し、薬液瓶を押圧した状態の概略断面図である。
【発明を実施するための形態】
【００２２】
以下この発明の点眼補助具の実施の形態を図面に基いて詳細に説明する。
先ず本発明の点眼補助具は、薬液瓶の首部を挿通する保持孔を形成するとともに、その周囲に変形により自在にサイズを変えるノズル固定板を取り付けた中間部材と、その両側に首振り可能に連結した薬液瓶を収納する収納凹部を備えた一対の保持部材とを具備し、不使用時には前記一対の保持部材間に薬液瓶を収納する収納容器を備え、
また前記中間部材の適所には、点眼操作の際に目の周囲に当接することにより、前記薬液瓶を点眼位置に正確に保持するアダプタを立設してあり、
点眼操作の際には前記中間部材を介して前記一対の保持部材を反転し、薬液瓶の首部を前記中間部材の保持孔の変形により自在にサイズを変えるノズル固定板に挿通した上、前記一対の保持部材の間で薬液瓶を保持するとともに、
前記中間部材との連結部を支点部とし、前記一対の保持部材を作用点部とし、さらに前記一対の保持部材の先端部を力点部として、前記力点部に力を加えることにより、一対の保持部材の間の作用点部から薬液瓶に加えた力よりも大きな力が加わるようにしたことを特徴とするものである。
【００２３】
以下にその実施の形態を図面に基いて詳細に説明する。
図１ないし図１０は本発明の実施形態に係る点眼補助具１０の概略を表すものである。
図において点眼補助具１０は、後述する薬液瓶の首部を挿通する保持孔１３を備え、かつ該保持孔１３に変形により自在にサイズを変えるノズル固定板１３ａを取り付けた中間部材１２と、その両側に首振り可能に連結した薬液瓶を収納する収納凹部１５を備えた一対の保持部材１４，１４’とを具備した収納容器１１を備えている。１３ｂは前記ノズル固定板１３ａの内周に放射状に形成された切込みである。
そして、不使用時には前記一対の保持部材１４，１４’間の収納凹部１５によって形成される収納スペースに薬液瓶を収納するようになっている。
図において１６，１６’は前記一対の保持部材１４，１４’の端部に設けた係合部であり、一方の側に設けたフック１６を他方の側に設けた係合凸部１６’にはめ込むことにより、着脱可能に係合するようになっている。
また、中間部材１２と各保持部材１４，１４’との連結は、プラスチックヒンジでも、他の軸着構造等を採用してもよい。
なお、前記薬液瓶の首部を挿通する保持孔１３を形成した中間部材１２は、所望のサイズのものを複数用意しておき、その幅のサイズを適宜可変としておけば、微量点眼用あるいは使い切り点眼薬用としても使用することができる。
【００２４】
また前記中間部材１２の適所には、点眼操作の際に目の周囲に当接することにより、前記薬液瓶を点眼位置に正確に保持するアダプタ１７が立設してあり、前記一対の保持部材１４，１４’間の収納凹部１５によって形成される収納スペースに薬液瓶を収納する状態においては、該収納スペース内の前記薬液瓶の収納に邪魔にならない位置に取り付けられている。
前記アダプタ１７は、中間部材１２や一対の保持部材１４，１４’の成形時に一体的に形成することができる。また、前記アダプタ１７の高さを変える場合には前記中間部材の適所において別のサイズのものにはめ込み、取り外し可能な着脱式とすることができ、不使用時には着脱ないし折り畳みできるようにして対応すればよい。
なお１８は、前記アダプタ１７の先端に取り付けた弾性体で、下まぶた近傍を押さえる働きをするものである。
【００２５】
さらに前記中間部材１２は、その保持孔１３の近傍、望ましくは前記アダプタ１７取付位置の反対側に目印２０が形成してあり、点眼操作の際に前記目印２０を見て行えば上まぶたが充分開いた状態となり、確実に薬液を点眼することができる。
しかも、前記アダプタ１７の先端を下まぶた付近に当接した上、前記保持孔１３近傍の目印２０を確認することにより、両まぶたの開眼状態における正確な点眼操作を行うことができるようになる。
【００２６】
また、前記一対の保持部材１４，１４’は、その中央部分の外向きの膨らみの内壁に、薬液瓶の収納時に薬液瓶を両側から保持する弾性保持部材１９が取り付けられているので、不使用時に薬液瓶をガタツキなく保持することが可能である。
ちなみに、前記一対の保持部材１４，１４’は、内外面のいずれか、あるいは両面に固有のデザイン形状が施してあり、点眼補助具の独自の所有者であることを表現することができるようにしておけば、間違って使用することを避けることができる。
【００２７】
点眼補助具１０の不使用時には、図１１、図１２に示すように、前記一対の保持部材１４，１４’を開き、前記中間部材１２に薬液瓶２１を搭載した上で、前記一対の保持部材１４，１４’を閉じればよく、前記一対の保持部材１４，１４’間の収納凹部１５によって形成される収納スペースに前記薬液瓶２１が収納されるのである。
【００２８】
他方、本実施形態の点眼補助具１０を用いて点眼操作する際には、図１３に示すように前記中間部材１２を介して前記一対の保持部材１４，１４’を開き、図１４に示すように薬液瓶２１の首部２２を前記中間部材１２の保持孔１３に取り付けた、変形により自在にサイズを変えるノズル固定板１３ａに挿通し、薬液瓶２１を保持する。
その上で、図１５に示すように前記一対の保持部材１４，１４’を反転方向に首振りさせ、図１６に示すように、前記一対の保持部材１４，１４’の端部を指で挟み付けることにより、前記中間部材１２との連結部を支点部とし、前記一対の保持部材１４，１４’を作用点部とし、さらに前記一対の保持部材１４，１４’の先端部を力点部として、前記力点部に力を加えることができる。
そうすることによって、図１７に示すように、一対の保持部材１４，１４’の両端を指で挟み付け、薬液瓶２１を押圧して点眼操作を行うと、一対の保持部材の１４，１４’間の作用点部から指で挟み付けて加えた力よりも大きな力が薬液瓶２１に加わるようになっているのである。
【００２９】
図１８はその点眼操作の詳細を示すものであり、前記点眼保持具１０に設けた前記アダプタ１７を目の周囲の下まぶたを押さえつける適宜位置に当接して薬液瓶２１を点眼位置に正確に保持し、その状態で一対の保持部材１４，１４’の両端を指で挟み付けて薬液瓶２１を押圧すれば、１滴や２滴等の点眼量での微妙な点眼操作をすることができるようになるのである。
【００３０】
本実施形態の点眼補助具１０において、図１５〜図１７に示すように、前記一対の保持部材１４，１４’は、その中央部分に外向きの膨らみ１４ａ，１４’ａを備え、前記一対の保持部材１４，１４’の膨らみ１４ａ，１４’ａが前記薬液瓶２１を両側から押圧することにより、薬液瓶２１から点眼操作できるようになっている。
しかも、前記一対の保持部材１４，１４’の中央部分に形成された外向きの膨らみ１４ａ，１４’ａは、その頂部が前記中間部材１２に近い位置となるように形成されている。
そのようにしておけば、前記一対の保持部材１４，１４’の両端を指で挟み付け、薬液瓶２１を押圧して点眼操作を行う際により「てこの原理」が作用しやすくなり、前記一対の保持部材の１４，１４’間の作用点部から指で挟み付けて加えた力よりもより大きな力が薬液瓶２１に加わるようになるのである。
【００３１】
次に、図１９〜図２２に基いて別の実施形態の点眼補助具３０を説明する。
図１９（ａ）および（ｂ）は該点眼補助具３０に適用すべき異なる形態の薬液瓶を示すものであり、ノズル部と薬液部が２段に形成された通常よりサイズの小さい微量点眼用あるいは使い切り点眼薬用の薬液瓶３１である。
本実施形態の点眼補助具３０において、図１９（ｃ）および図２０に示すように、前記一対の保持部材３４，３４’は、その中央部分に外向きの膨らみ３４ａ，３４’ａを備え、前記一対の保持部材３４，３４’の膨らみ３４ａ，３４’ａにはさらに小形の凸形状片３４ｂ，３４’ｂが小突起の差込み等の手段で装着してある。したがって、前記薬液瓶３１を両側から押圧することにより、薬液瓶３１から点眼操作できるようになっている。
この例でも、前記一対の保持部材３４，３４’の両端を指で挟み付け、薬液瓶３１を押圧して点眼操作を行う際により「てこの原理」が作用しやすくなり、前記一対の保持部材の３４，３４’間の作用点部から指で挟み付けて加えた力よりもより大きな力が薬液瓶３１に加わるようになるのである。
【００３２】
図２１（ａ）および（ｂ）は該点眼補助具３０に適用すべき異なる形態の薬液瓶を示すものであり、薬液部の先端に短いノズル部を形成した通常よりサイズの小さい微量点眼用あるいは使い切り点眼薬用の薬液瓶３１’である。
本実施形態の点眼補助具３０においも、図２１（ｃ）および図２２に示すように、前記一対の保持部材３４，３４’は、その中央部分に外向きの膨らみ３４ａ，３４’ａを備え、前記一対の保持部材３４，３４’の膨らみ３４ａ，３４’ａにはさらに小形の凸形状片３４ｂ、３４’ｂが小突起の差込み等の手段で装着してある。したがって、前記薬液瓶３１’を両側から押圧することにより、薬液瓶３１’から点眼操作できるようになっている。
この例でも、前記一対の保持部材３４，３４’の両端を指で挟み付け、薬液瓶３１’を押圧して点眼操作を行う際により「てこの原理」が作用しやすくなり、前記一対の保持部材の３４，３４’間の作用点部から指で挟み付けて加えた力よりもより大きな力が薬液瓶３１’に加わるようになるのである。
【００３３】
以下に本発明の点眼補助具のその他の効果を列挙する。
Ａ．従来の製品も薬液瓶を押圧することで目薬（点眼液）を滴下するが、押圧力のコントロールが困難で滴下が困難、逆に多数摘が滴下するなど適正量の滴下が困難である。本発明では一対の保持部材の操作において「てこの原理」を利用することで押圧力のコントロールが容易になり、滴下数も１滴ずつに正確にコントロールすることが可能となる。
Ｂ．薬液瓶の頭部形状は種類によって大きく異なるため、従来の点眼補助具の場合、利用可能な薬液瓶（点眼容器）に制限があったが、本発明では多数の薬液瓶に対して対応が可能となり、ほとんどすべての薬液瓶に対し使用が可能となった。
Ｃ．薬液瓶は小型なものが多く、手指の生活動作能力が低下している利用者の場合、薬液瓶の正確な把持が困難であったが、本発明では手全体での把持が可能な一対の保持部材によって、薬液瓶をより正確な、またしっかりした把持が可能になった。
Ｄ．視機能の低下患者の場合、薬液瓶の先端ノズルを正確に眼部に合わせることが困難であり、この補助として眼周囲に密着する装置が開発されている。しかしながら、眼周囲形状は個人差が大きく、また薬液瓶先端を正確に眼部へ装着することには個人差が大きい。このため一律な形状では多数利用者には対応が困難である。本発明ではアダプタを利用してこの問題を解消している。
【産業上の利用可能性】
【００３４】
本発明は以上のように点眼補助具として説明したが、本発明の要旨を逸脱しない限り他の用途にも転用できることはいうまでもない。
【符号の説明】
【００３５】
１０  点眼補助具
１１  収納容器
１２  中間部材
１３  保持孔
１３ａ  ノズル固定板
１３ｂ  切込み
１４，１４’  一対の保持部材
１４ａ，１４’ａ  膨らみ
１５  収納凹部
１６  フック
１６’  係合凸部
１７  アダプタ
１８  弾性体
１９  弾性保持部材
２０  目印
２１  薬液瓶
２２  首部
３０  点眼補助具
３１，３１’  薬液瓶
３４，３４’  一対の保持部材
３４ａ，３４’ａ  膨らみ
３４ｂ，３４’ｂ  小形の凸形状片
【図１】
2019187540.tif 000003
【図２】
2019187540.tif 000004
【図３】
2019187540.tif 000005
【図４】
2019187540.tif 000006
【図５】
2019187540.tif 000007
【図６】
2019187540.tif 000008
【図７】
2019187540.tif 000009
【図８】
2019187540.tif 000010
【図９】
2019187540.tif 000011
【図１０】
2019187540.tif 000012
【図１１】
2019187540.tif 000013
【図１２】
2019187540.tif 000014
【図１３】
2019187540.tif 000015
【図１４】
2019187540.tif 000016
【図１５】
2019187540.tif 000017
【図１６】
2019187540.tif 000018
【図１７】
2019187540.tif 000019
【図１８】
2019187540.tif 000020
【図１９】
2019187540.tif 000021
【図２０】
2019187540.tif 000022
【図２１】
2019187540.tif 000023
【図２２】
2019187540.tif 000024